(57)【要約】【課題】カメラ装置において、事前に撮影シーンを選択する撮影モードによる撮影操作時の使い勝手を向上させる。【解決手段】撮影に先立ち撮影シーンが選択された後の撮影待機状態において、撮像した被写体のスルー画像３０１に、選択されている撮影シーンを示す見本画像１０３を合成して表示させる。また、撮影待機状態においては、所定のキー操作に応じ、他の撮影シーンの選択操作を受け付けるとともに、その選択中には、スルー画像３０１に表示する見本画像１０３を、選択可能な撮影シーンを示す見本画像に逐次変更して表示させる。【選択図】      図９
2006087149.tif 000002
【特許請求の範囲】
【請求項１】
撮影待機状態で被写体の画像を表示手段にスルー画像として表示しながら、撮影操作に応答し前記画像を記録する撮影動作を行うカメラ装置において、
所定の撮影モードでの前記撮影動作時における装置の撮影条件を、見本画像の選択操作により予め選択された撮影シーンに応じた撮影条件に制御する制御手段と、
前記撮影モードでの撮影待機状態で、前記撮影シーンを示すシーン情報を前記スルー画像と共に前記表示手段に表示させる表示制御手段を備えたことを特徴とするカメラ装置。
【請求項２】
前記撮影モードにおける撮影待機状態で、所定の変更操作に応答し、前記表示手段に前記スルー画像と共に表示するシーン情報を変化させることにより使用者に撮影シーンの再選択を行わせ、装置の撮影条件を、選択されたシーン情報に応じた撮影条件に変更する変更手段を備えたことを特徴とする請求項１記載のカメラ装置。
【請求項３】
前記表示制御手段は、前記所定の変更操作に伴い、選択可能な複数の撮影シーンを示す複数のシーン情報をスルー画像と共に表示手段に表示させることを特徴とする請求項２記載のカメラ装置。
【請求項４】
前記シーン情報は前記見本画像であることを特徴とする請求項２又は３記載のカメラ装置。
【請求項５】
撮影待機状態で被写体の画像を表示手段にスルー画像として表示しながら、撮影操作に応答し前記画像を記録する撮影動作を行うカメラ装置において、
前記撮影動作時における装置の撮影条件が、見本画像の選択操作により予め選択された撮影シーンに応じた撮影条件に制御される所定の撮影モードでの撮影待機中に、前記スルー画像の表示に先立ち、前記撮影シーンを示すシーン情報を前記スルー画像と共に前記表示手段に表示させるための処理を行うことを特徴とする表示方法。
【請求項６】
撮影待機状態で被写体の画像を表示手段にスルー画像として表示しながら、撮影操作に応答し前記画像を記録する撮影動作を行うカメラ装置が有するコンピュータを、
所定の撮影モードでの前記撮影動作時における装置の撮影条件を、見本画像の選択操作により予め選択された撮影シーンに応じた撮影条件に制御する制御手段と、
前記撮影モードでの撮影待機状態で、前記撮影シーンを示すシーン情報を前記スルー画像と共に前記表示手段に表示させる表示制御手段
として機能させるためのプログラム。
【発明の詳細な説明】
【技術分野】
【０００１】
本発明は、カメラ装置、表示方法及びプログラムに関する。
【背景技術】
【０００２】
従来、電子スチルカメラ等においては、ポートレート、風景、夜景等の複数の撮影モードが設けられており、ユーザーは被写体に対応する撮影モードを予め選択しておくことにより、シャッタースピード、絞り値等の撮影条件を被写体に適したものに簡単に設定できるものが多い。さらに、電子スチルカメラでは、上記の撮影モードとは別にシーンセレクトモード（或いはベストショットモード）と称する撮影モードを備えたものが知られている（例えば、特許文献１参照。）。
【０００３】
かかる撮影モードは、撮影に先立ち、被写体や撮影環境が異なる種々の撮影シーンを示す複数の見本画像を液晶画面上に表示し、撮影しようとする被写体等に応じた見本画像をユーザーに予め選択させ、撮影動作時には、選択された見本画像に対応する撮影条件を自動的に設定することにより、簡単な操作で、多様な被写体や撮影環境に応じた様々な撮影シーンに適した撮影条件や、好みに応じた撮影条件での撮影を可能とするモードである。
【０００４】
【特許文献１】特開２００２−１０１３４号公報
【発明の開示】
【発明が解決しようとする課題】
【０００５】
しかしながら、前述したように見本画像を介して撮影シーンを選択する撮影モードでは、撮影者等は、撮影準備中（フレーミング途中）においては、その時点で選択されている撮影シーンを確認することができないという問題があった。また、撮影シーンの選択は、上記撮影モードの設定直後に撮影に先立って行うため、当該撮影モードでの撮影準備中（フレーミング途中）に、事前に選択した撮影シーンを変更したいときには、いったん撮影シーンの選択画面に戻って撮影シーンの再選択を行わなくてはならず、撮影条件を変更する場合の作業性が必ずしも良好なものとはいえなかった。
【０００６】
本発明は、かかる従来の課題に鑑みてなされたものであり、事前に撮影シーンを選択する撮影モードによる撮影操作時の使い勝手を向上させることができるカメラ装置、表示方法及びプログラムを提供することを目的とする。
【課題を解決するための手段】
【０００７】
前記課題を解決するために請求項１の発明にあっては、撮影待機状態で被写体の画像を表示手段にスルー画像として表示しながら、撮影操作に応答し前記画像を記録する撮影動作を行うカメラ装置において、所定の撮影モードでの前記撮影動作時における装置の撮影条件を、見本画像の選択操作により予め選択された撮影シーンに応じた撮影条件に制御する制御手段と、前記撮影モードでの撮影待機状態で、前記撮影シーンを示すシーン情報を前記スルー画像と共に前記表示手段に表示させる表示制御手段を備えたものとした。
【０００８】
かかる構成においては、所定の撮影モードでの撮影待機中であっても、その時点で選択されている撮影シーンを、スルー画像と共に表示されるシーン情報を介して使用者に知らせることができる。
【０００９】
また、請求項２の発明にあっては、前記撮影モードにおける撮影待機状態で、所定の変更操作に応答し、前記表示手段に前記スルー画像と共に表示するシーン情報を変化させることにより使用者に撮影シーンの再選択を行わせ、装置の撮影条件を、選択されたシーン情報に応じた撮影条件に変更する変更手段を備えたものとした。
【００１０】
かかる構成においては、所定の撮影モードでの撮影待機中であっても、前記スルー画像と共に表示手段に表示されるシーン情報を介して、使用者に撮影シーンの再選択を行わせることができる。
【００１１】
また、請求項３の発明にあっては、前記表示制御手段は、前記所定の変更操作に伴い、選択可能な複数の撮影シーンを示す複数のシーン情報をスルー画像と共に表示手段に表示させるものとした。
【００１２】
かかる構成においては、使用者が撮影シーンの再選択を行う際に、所望する撮影シーンの選択が容易となる。
【００１３】
また、請求項４の発明にあっては、前記シーン情報は前記見本画像であるものとした。
【００１４】
かかる構成においては、使用者に対して、所定の撮影モードの設定直後における撮影シーンの選択時と同様に、選択中の撮影シーンや選択可能な撮影シーンを明示することができる。
【００１５】
また、請求項５の発明にあっては、撮影待機状態で被写体の画像を表示手段にスルー画像として表示しながら、撮影操作に応答し前記画像を記録する撮影動作を行うカメラ装置において、前記撮影動作時における装置の撮影条件が、見本画像の選択操作により予め選択された撮影シーンに応じた撮影条件に制御される所定の撮影モードでの撮影待機中に、前記スルー画像の表示に先立ち、前記撮影シーンを示すシーン情報を前記スルー画像と共に前記表示手段に表示させる表示方法とした。
【００１６】
かかる方法においては、所定の撮影モードでの撮影待機中であっても、その時点で選択されている撮影シーンを、スルー画像と共に表示されるシーン情報を介して使用者に知らせることができる。
【００１７】
また、請求項６の発明にあっては、撮影待機状態で被写体の画像を表示手段にスルー画像として表示しながら、撮影操作に応答し前記画像を記録する撮影動作を行うカメラ装置が有するコンピュータを、所定の撮影モードでの前記撮影動作時における装置の撮影条件を、見本画像の選択操作により予め選択された撮影シーンに応じた撮影条件に制御する制御手段と、前記撮影モードでの撮影待機状態で、前記撮影シーンを示すシーン情報を前記スルー画像と共に前記表示手段に表示させる表示制御手段として機能させるためのプログラムとした。
【発明の効果】
【００１８】
以上説明したように請求項１及び請求項５の発明においては、所定の撮影モードでの撮影待機中であっても、その時点で選択されている撮影シーンを、スルー画像と共に表示されるシーン情報を介して使用者に知らせることができるようにした。よって、事前に撮影シーンを選択する撮影モードによる撮影操作時の使い勝手を向上させることが可能となる。
【００１９】
また、請求項２の発明においては、所定の撮影モードでの撮影待機中であっても、前記スルー画像と共に表示手段に表示されるシーン情報を介して、使用者に撮影シーンの再選択を行わせることができるようにした。よって、撮影者等が撮影条件を変更する場合においても、被写体を確認しながらそれを行うことを可能とすることによって、撮影操作時の使い勝手を向上させることが可能となる。
【００２０】
また、請求項３の発明においては、使用者が撮影シーンの再選択を行う際に、所望する撮影シーンの選択が容易となるようにした。よって、撮影操作時の使い勝手をさらに向上させることが可能となる。
【００２１】
また、請求項４の発明においては、使用者に対して、所定の撮影モードの設定直後における撮影シーンの選択時と同様に、選択中の撮影シーンや選択可能な撮影シーンを明示することができるようにした。よって、撮影操作時の使い勝手をより一層向上させることが可能となる。
【００２２】
また、請求項６の発明においては、そのプログラムを用いることにより、スルー画像を表示する表示手段やコンピュータを備えたカメラ装置において、請求項１及び請求項５の発明を実現することが可能となる。
【発明を実施するための最良の形態】
【００２３】
以下、本発明の一実施の形態を図にしたがって説明する。
（第１の実施の形態）
図１は、本発明の実施の形態にかかる電子スチルカメラ１の外観を示す図であって、同図（ａ）は背面図、同図（ｂ）は平面図、同図（ｃ）は正面図である。
【００２４】
電子スチルカメラ１は、正面側に固定レンズ４、背面側にＴＦＴ液晶モニター１８を有し、さらに光学ファインダ５１とストロボ１９とを有している。また、電子スチルカメラ１の背面部及び上面部には、電源スイッチ５２、シャッターキー５３、ズーム操作スイッチ５４、録画モード（ＲＥＣモード）と再生モード（ＰＬＡＹモード）の切り替え行う動作モード切り替えスイッチ５５、液晶モニタ・スイッチ５６、フラッシュ・キー５７、セルフタイマ・キー５８、メニュー・キー５９の各種スイッチが設けられている。
【００２５】
図２は、前記電子スチルカメラ１の電気的構成の概略を示すブロック構成図であり、電子スチルカメラ１は、撮像手段であるＣＣＤ２により撮像した画像をＪＰＥＧ形式に変換する等の画像処理機能を備えたＭＰＵ３を中心に構成されている。ＣＣＤ２の受光面には、固定レンズ４、フォーカスレンズ５、絞り６を通過して被写体の光学像が結像される。フォーカスレンズ５はＡＦモータ等からなる駆動機構７に保持されており、ＭＰＵ３からの制御信号によりＡＦドライバー８が出力する駆動信号が駆動機構７に供給されることにより光軸上を前後に移動する合焦動作を行う。絞り６は、ＭＰＵ３からの制御信号に基づき絞り駆動部９が発生する駆動信号により駆動しＣＣＤ２に入射する被写体像の光量を調整する。
【００２６】
また、ＭＰＵ３には、タイミング信号を発生するＴＧ（Ｔｉｍｉｎｇ  Ｇｅｎｅｒａｔｏｒ）１０が接続されており、ＴＧ１０が発生したタイミング信号に基づきＶドライバー１１（垂直方向ドライバー）がＣＣＤ２を駆動し、それに伴いＣＣＤ２により被写体像の輝度に応じたアナログの撮像信号が出力されユニット回路１２へ送られる。ユニット回路１２は、ＣＣＤ２から出力された撮像信号から相関二重サンプリングによりノイズを除去し、それを保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ２の出力信号は、ここで黒レベルを合わせてサンプリングされデジタル信号としてＭＰＵ３に送られる。送られたデジタル信号（撮像信号）はＤＲＡＭ１３に一時保存されるとともに、ＭＰＵ３によって各種の画像処理が施された後、最終的には圧縮された映像信号としてフラッシュメモリ（ＦＬＡＳＨ）１４に保存される。保存された映像信号は、必要に応じてＭＰＵ３に読み出され、伸長処理、輝度信号及び色信号の付加等の処理を経てデジタルビデオ信号やアナログビデオ信号に生成される。
【００２７】
さらに、ＭＰＵ３にはＭＲＯＭ１５と、電源回路１６、図１に示した各種のスイッチ群を含む操作キー部１７、前記ＴＦＴ液晶モニター１８、前記ストロボ１９が接続されている。ＴＦＴ液晶モニター１８は、録画モードにおいては逐次撮像された画像をスルー画像として表示し、再生モードにおいては前記フラッシュメモリ１４に記録された画像データから生成されたアナログビデオ信号に基づく映像を表示する。ストロボ１９は、映像取り込みキーの操作時（撮影時）に必要に応じて駆動され補助光を発する。
【００２８】
ＭＲＯＭ１５は、ＭＰＵ３の動作プログラム等の各種データが記録された記憶手段である。ＭＲＯＭ１５には撮影時の適正な露出値（ＥＶ）に対応する絞り値（Ｆ）とシャッタースピードとの組み合わせを示すプログラム線図を構成するプログラムＡＥデータが格納されており、ＭＰＵ３は、内蔵するＲＡＭをワーキングメモリとして前記動作プログラムに従い動作することにより本発明の設定手段、制限手段、表示制御手段として機能する。また、ＭＰＵ３は、前記プログラム線図に従って前記ＣＣＤ２の電荷蓄積時間や、前記絞り６の開放度、前記ユニット回路１２のゲイン調整アンプ（ＡＧＣ）のゲイン設定等を行う。ＭＰＵ３が設定した電荷蓄積時間はシャッターパルスとして、ＴＧ１０を介してＶドライバー１１に供給され、これに従いＶドライバー１１がＣＣＤ２を駆動することにより電荷蓄積時間すなわち露光時間が制御される。つまりＣＣＤ２は電子シャッターとして機能する。また、ＭＲＯＭ１５に格納された動作プログラムには、オートフォーカス制御に関するプログラムが含まれており、かかるプログラムに基づきＭＰＵ３は、前記フォーカスレンズ５を駆動させピント合わせ（オートフォーカス）を行う。
【００２９】
また、ＭＲＯＭ１５には、前述したデータとは別に、図３に示した撮影条件データ１０１、図４に示した付加情報データ１０２、図５（ａ）〜（ｃ）に例示したような複数の見本画像１０３を構成する画像データが記憶されている。なお、この図においては各見本画像１０３を模式的な画像として示しているが、実際には現実に撮影された画像若しくはそれに準じた画像である。前記撮影条件データ１０１は、後述するシーンセレクトモードの設定時に選択可能な複数のシーン撮影モード（本実施の形態では２９種類）の各々に対応して予め設定されている電子スチルカメラ１の撮影条件を示すデータであって、より具体的には、図示したような以下のデータから構成されている。すなわち、フォーカス制御、シャッター速度、絞り、ＥＶシフト量、感度、・・・といった電子スチルカメラ１において制御可能な複数の制御項目の内容を示すパラメータにより構成されている。
【００３０】
前記付加情報データ１０２（図４）は、撮影条件データとともに上記シーン撮影モードに対応して記憶されている付加情報データであり、具体的には、「風景と人物を写します。」といったシーン説明、「ズームを使うと背景がキレイにボケます。」といったアドバイス情報、「マクロモードになり、彩度が高めに設定されます。」といった制御説明の３種類のコメントデータによって構成されている。図５に示した複数の見本画像１０３は、前記撮影条件データ、前記付加情報データと共に各シーン撮影モードに対応するとともに、各シーン撮影モードでの撮影に適した被写体の見本となる画像である。なお、図５（ａ）は、シーン撮影モードの「１」（人と風景１）に対応する見本画像、同図（ｂ）は、シーン撮影モードの「２」（人と風景２）に対応する見本画像、同図（ｃ）は、シーン撮影モードの「３」（アップ）に対応する見本画像の例である。
【００３１】
なお、前述したＭＲＯＭ１５に記憶されているプログラムデータ等は、その記録内容の保持が可能であれば、別途固定的に設けたもの、若しくは脱着自在に装着可能なＩＣカード等の他の記録媒体に記録される構成にしてもよく、更に、前記プログラムデータ等はパソコン等の他の機器、或いはインターネット等を用いた通信手段を介して他の装置から供給された構成であっても構わない。
【００３２】
次に、以上の構成からなる電子スチルカメラ１において、ユーザー（撮影者等）によって録画モード（ＲＥＣモード）が設定された状態でメニュー・キー５９の操作により、録画モードとして用意されているベストショット・モードが選択されたときの動作について説明する。図６及び図７は、その場合におけるＭＰＵ３の処理手順を示したフローチャートである。
【００３３】
ＭＰＵ３は、まずＭＲＯＭ１５に記憶されている撮影条件データ１０１（図３参照）、付加情報データ１０２（図４参照）、見本画像１０３（図５参照）の画像データを読み出し、図８に示したようなシーン選択画面２０２を表示する（ステップＳ１）。シーン選択画面２０２は、撮影条件データ１０１の各々に付されているシーン番号（本実施の形態では「１」〜「２９」の番号）と、それに対応する見本画像１０３、シーン説明（「風景と人物を写します」等）、アドバイス情報（「フレームが表示されます」等）又は制御説明（「フォーカスが∞、フィルターが赤に設定されます」等）から構成される。そして、選択ボタン（本実施の形態では、ズームボタン５４の［＋］と［−］）の操作に応じて、シーン番号を昇順又は降順に変化させるとともに、それに対応する上記各データを逐次読み出し、それに基づきシーン選択画面２０２の送り表示を行う（ステップＳ２）。
【００３４】
そして、シャッターキー５３（決定キー）の押下によって、見本画像１０３等により示されたいずれかのシーンが決定されると（ステップＳ３でＹＥＳ）、ＭＰＵ３は、決定されたシーンのシーン番号の撮影条件データ１０１（各種の制御パラメータ）を読み出し、それに基づき電子スチルカメラ１の撮影条件を設定し、かつＭＰＵ３内部で見本画像の表示時間の計測を開始する（ステップＳ４）。しかる後、ＣＣＤ２による撮像つまり被写体画像の取り込みを行う（ステップＳ５）。引き続き、見本画像の表示の有無を決める表示フラグの状態を検査する（ステップＳ６）。ここでシーン選択画面２０２からシーンが決定された直後において表示フラグはセット状態にあり（ステップＳ６でＹＥＳ）、取り込んだ画像の所定箇所に、シーン選択画面２０２のシーン番号に対応する見本画像１０３を合成し、それをスルー画像としてＴＦＴ液晶モニター１８に表示して（ステップＳ７）、撮影待機状態となる。図９は、ここで表示されるスルー画像３０１の例であり、本実施の形態ではスルー画像３０１の右下部分に見本画像１０３を表示させる。なお、見本画像１０３の表示位置（合成位置）は、これ以外でも構わない。
【００３５】
以後の撮影待機状態では、見本画像１０３の表示時間が所定時間（例えば２秒間）に達したか否かを判別し、所定時間に達していなければ（ステップＳ８でＮＯ）、さらにシーン選択のボタン操作の有無を判別する（ステップＳ９）。ここで操作がなければ（ステップＳ９でＮＯ）、シャッターキーが押されたか否かを判別し（ステップＳ１０）、シャッターキーが押されていなければ（ステップＳ１０でＮＯ）、ステップＳ５へ戻り、被写体画像に見本画像１０３を合成したスルー画像３０１を表示する動作を繰り返す。
【００３６】
一方、その間に見本画像１０３の表示時間が所定時間に達したら（ステップＳ８でＹＥＳ）、その時点で見本画像の表示フラグをリセットし（ステップＳ１２）、以後の撮影待機状態では、新たに取り込んだ被写体画像をそのままスルー画像としてＴＦＴ液晶モニター１８に表示する（ステップＳ６でＮＯ，ステップＳ１１）。つまりスルー画像３０１から見本画像１０３を消す。また、見本画像１０３が合成されたスルー画像３０１、又は見本画像１０３のないスルー画像３０１のいずれかが表示されている撮影待機状態で、撮影者等によりシーン選択のボタン操作があった場合には（ステップＳ９でＹＥＳ）、まず、表示フラグがセットされているか否か、つまり見本画像１０３を表示中か否かを判別する（ステップＳ１３）。ここで、見本画像１０３を表示していないければ（ステップＳ１３でＮＯ）、その時点で選択されているシーン（シーン番号）に対応する見本画像１０３であって、表示時間の経過に伴い消した見本画像１０３を、一定時間（例えば１秒間）だけスルー画像に合成して再表示し（ステップＳ１４）、ステップＳ１５へ進む。なお、ステップＳ１３の判別結果がＹＥＳであり、シーン選択のボタン操作があったとき見本画像１０３を合成したスルー画像３０１を表示していたときには、ステップＳ１４の処理を行わずステップＳ１５へ進む。
【００３７】
引き続きステップＳ１５では、シーン選択のボタン操作に応じて、選択中の撮影シーンの前（又は後）の撮影シーンを示す他の見本画像のデータを読み出すとともに、スルー画像上の見本画像を新たな見本画像に更新する。そして、所定のキー操作によって撮影シーンが決定されるまで、見本画像の送り表示を続け（ステップＳ１６でＮＯ）、撮影シーンが決定されたら（ステップＳ１６でＹＥＳ）、その時点で表示中の見本画像に対応するシーン（シーン番号）の撮影条件データ１０１を読み出し、読み出したデータに基づき電子スチルカメラ１における撮影条件を変更する（ステップＳ１７）。そして、表示フラグをセットするとともに、見本画像１０３の表示時間の再計測を開始した後（ステップＳ１８）、ステップＳ５へ戻る。したがってこれ以後は、変更後の新たな撮影条件で取り込まれた画像に新たな見本画像１０３の合成されたスルー画像３０１がＴＦＴ液晶モニター１８に表示される。
【００３８】
そして、上述した処理を伴う撮影待機中にシャッターキーが押されたら（ステップＳ１０でＹＥＳ）、その時点で設定されている撮影条件下での撮像を行うとともに、撮像した画像を記録する（ステップＳ１９）。しかる後、ステップＳ５へ戻り、以後、録画モードがベストショット・モードが設定されている間は、ステップＳ５以降の処理を繰り返し実行する。
【００３９】
以上のように本実施の形態においては、従来と同様、ユーザーは撮影しようとする被写体等に応じた見本画像を選択するといった簡単な操作で、多様な被写体や撮影環境に応じた様々な撮影シーンに適した撮影条件や、好みに応じた撮影条件での撮影を行うことができる。
【００４０】
それに加え、本実施の形態においては、撮影シーンを選択して撮影待機状態になったとき、一定時間内は見本画像１０３を合成したスルー画像３０１を表示するため、ユーザーにあっては、その間に自分が選択した撮影シーンを見本画像１０３によって再確認させることができる。しかも、一定時間が経過した後には、見本画像１０３を消した通常のスルー画像を表示するため、見本画像１０３がフレーミング等の邪魔にならずに済む。よって、前述したベストショット・モードでの撮影時においては、従来に比べてユーザーの使い勝手を向上させることができる。
【００４１】
なお、本実施の形態においては、撮影シーンの選択後に一定時間が経過したらスルー画像３０１から見本画像１０３を消すようにしたが、見本画像１０３を常に表示させたままとしてもよい。また、その場合には、ユーザーが撮影シーンの確認をできる範囲内で見本画像１０３をできるだけ小さく表示することが好ましい。さらには、撮影シーンの選択後に一定時間が経過したら、スルー画像３０１に表示する見本画像１０３を、それ以前よりも縮小して表示させるようにしてもよい。
【００４２】
また、本実施の形態では、撮影待機中のスルー画像３０１が表示された状態においても、シーン選択のボタン操作があれば、スルー画像３０１に選択候補の撮影シーンを示す見本画像１０３をシーン番号順（又はその逆順）に表示することにより、ユーザーによる撮影シーンの再選択を可能とし、かつ撮影条件を新たに選択された撮影シーンに応じた内容に変更することにより、それをスルー画像３０１に反映させるようにした。したがって、被写体を確認しながら必要に応じていつでも撮影条件の変更を行うことができるため、それによっても、従来に比べてユーザーの使い勝手を向上させることができる。
【００４３】
（第１の実施の形態の変形例）
ここで、前述した第１の実施の形態においては、撮影待機中に表示するスルー画像３０１に見本画像１０３を合成するときには、その見本画像１０３の向きを、シーン選択画面２０２（図８参照）に表示するときと同じ向きであることを前提としたが、以下のようにしてもよい。すなわち、スルー画像３０１に合成する見本画像１０３が縦位置の構図の画像（縦長の画像）であるときには、見本画像１０３を縦にした状態で表示（合成）させる。その場合には、カメラ本体を縦位置に構えたとき、見本画像１０３の向きがカメラ本体の向きと一致することとなる。したがって、ユーザーに違和感を抱かせることがなく、同時に選択された撮影シーンが縦位置のシーンであることをユーザーに明確に知らせることが可能となる。なお、見本画像１０３が横位置の画像であるか縦位置の画像であるかの判断は、それを区別するためのデータを見本画像１０３のデータと共に予め記憶させておくようにすればよい。
【００４４】
また、上記とは別に、例えば縦横センサ等によってカメラ本体の向きを検出することができる構成においては、前述したステップＳ７，Ｓ１４，Ｓ１５において見本画像を合成したスルー画像を表示するとき、カメラ本体の向きを予め検出した後、その向きに応じて、見本画像の上下をＴＦＴ液晶モニター１８の画面の上下と一致させるようにしてもよい。その場合においても、ユーザーに違和感を抱かせることがなく、良好な使い勝手を確保することができる。さらに、その場合においては、同一の撮影シーンの見本画像について予め横表示用と縦表示用との２種類を用意しておき、カメラ本体の向きに応じて使用する横表示用と縦表示用とを使い分けるようにしてもよい。その場合には、撮像した被写体画像に見本画像を合成するとき、事前に見本画像を回転させるといった余分な画像処理が不要となるため、ＭＰＵ３の負担を軽減することができ、都合がよい。
【００４５】
（第２の実施の形態）
次に、本発明の第２の実施の形態を説明する。本実施の形態は、第１の実施の形態と同様の構成を有する電子スチルカメラ１において、ベストショット・モードでの撮影待機中における、ユーザーによるシーン選択のボタン操作による撮影シーンの選択時に、図１０に示したスルー画像４０１を表示するものである。すなわち、第１の実施の形態の前述したステップＳ１５（図７参照）の処理では、その時点で選択されている撮影シーンの見本画像のみを合成してスルー画像３０１に表示させたが、本実施の形態では、選択中の撮影シーンと、その前後のシーン番号の撮影シーンを示す３つの見本画像１０３を並べて合成したスルー画像４０１を表示させ、かつ選択中の撮影シーンの見本画像１０３のサイズを他のものよりも大きくする。これ以外の処理は、第１の実施の形態と同様である。
【００４６】
本実施の形態においては、撮影待機中にユーザーが撮影シーンを再選択する際には、所望する撮影シーン（見本画像）を探すことが容易となるため、作業性が向上する。
【００４７】
なお、本実施の形態では、選択中の撮影シーンの見本画像１０３のサイズを他のものよりも大きくしたが、全ての見本画像を同一サイズとしても構わない。但し、その場合には、その時点で選択中の見本画像を所定の色の枠で囲む等の方法により、どの見本画像つまり撮影シーンを選択しているのかをユーザーに示す必要がある。また、スルー画像４０１に、選択中の撮影シーンの見本画像１０３と共に合成して表示する見本画像１０３を、その前後の撮影シーンのものとしたが、前又は後のいずれか一方としてもよく、さらには、選択中の撮影シーンを含む４以上の撮影シーンの見本画像１０３を表示させるようにしてもよい。
【００４８】
さらに、本実施の形態のように選択中の撮影シーンを含む複数の撮影シーンの見本画像１０３を表示させる場合には、以下のようにしてもよい。例えば前述した撮影条件データ１０１を、人物、風景、スポーツと言った被写体の種類に注目した観点、或いはその他の観点に基づく種類別に予めグループ分けしておき、選択中の撮影シーンの見本画像１０３と共に、それと同一のグループに属する撮影シーンの見本画像１０３を複数表示させるようにしてもよい。その場合には、似通った撮影シーン（見本画像）を容易に探すことができることとなり、それによっても撮影シーンの選択時における作業性を向上させることができる。
【００４９】
また、以上説明した第１の実施の形態、及びその変形例と第２の実施の形態においては、ベストショット・モードでの撮影待機中に、ユーザーが撮影シーンを再選択するとき撮影シーンを示す見本画像を表示させものについて説明したが、見本画像に代えて、例えば撮影シーンを示すデータとして、例えば図８に示したシーン選択画面２０２に表示するシーン説明（図４の付加情報データ１０２）をスルー画像上に表示させるようにしても構わない。その場合においても、撮影シーンを選択して撮影待機状態になったとき、ユーザーに対して、自分が選択した撮影シーンを再確認させることができる。また、被写体を確認しながら必要に応じていつでも撮影条件の変更を行うことができるため、従来に比べてユーザーの使い勝手を向上させることができる。
【図面の簡単な説明】
【００５０】
【図１】本発明の各実施の形態に共通する電子スチルカメラの外観を示す図である。
【図２】同電子スチルカメラのブロック構成図である。
【図３】ＭＲＯＭに記録されている撮影条件データを示す概念図である。
【図４】ＭＲＯＭに記録されている付加情報データを示す概念図である。
【図５】ＭＲＯＭに記録されている見本画像を示す図である。
【図６】第１の実施の形態におけるベストショット・モードを用いた撮影時における電子スチルカメラの動作を示すフローチャートである。
【図７】図６に続くフローチャートである。
【図８】シーン選択画面、及びその変化を示す図である。
【図９】撮影待機状態となった直後等に表示するスルー画像の例を示す図である。
【図１０】第２の実施の形態において、撮影シーンの変更操作時に表示するスルー画像の例を示す図である。
【符号の説明】
【００５１】
１  電子スチルカメラ
２  ＣＣＤ
３  ＭＰＵ
１５  ＭＲＯＭ
１７  操作キー部
１８  ＴＦＴ液晶モニター
５３  シャッターキー
１０１  撮影条件データ
１０２  付加情報データ
１０３  見本画像
【図１】
2006087149.tif 000003
【図２】
2006087149.tif 000004
【図３】
2006087149.tif 000005
【図４】
2006087149.tif 000006
【図５】
2006087149.tif 000007
【図６】
2006087149.tif 000008
【図７】
2006087149.tif 000009
【図８】
2006087149.tif 000010
【図９】
2006087149.tif 000011
【図１０】
2006087149.tif 000012
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
撮影待機状態で被写体の画像を表示手段にスルー画像として表示しながら、撮影操作に応答し前記画像を記録する撮影動作を行うカメラ装置において、
所定の撮影モードでの前記撮影動作時における装置の撮影条件を、見本画像の選択操作と設定操作により所望の撮影条件に設定する設定手段と、
前記所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させる表示制御手段とを備えたことを特徴とするカメラ装置。
【請求項２】
前記撮影モードにおける撮影待機状態で、所定の変更操作に応答し、前記表示手段に前記スルー画像と共に表示する見本画像を変化させることにより使用者に撮影条件の再選択を行わせ、装置の撮影条件を、選択された撮影条件に応じた撮影条件に変更する変更手段を備えたことを特徴とする請求項１記載のカメラ装置。
【請求項３】
前記表示制御手段は、前記所定の変更操作に伴い、選択可能な複数の撮影条件を示す複数の撮影条件をスルー画像と共に表示手段に表示させることを特徴とする請求項２記載のカメラ装置。
【請求項４】
前記表示制御手段は、前記所定の撮影モードでの撮影待機状態で、見本画像の選択操作のために見本画像を前記スルー画像と共に前記表示手段に表示させる際に、同時にシーン説明またはアドバイス情報を表示させることを特徴とする請求項１ないし３記載のカメラ装置。
【請求項５】
撮影待機状態で被写体の画像を表示手段にスルー画像として表示しながら、撮影操作に応答し前記画像を記録する撮影動作を行うカメラ装置において、
所定の撮影モードでの前記撮影動作時における装置の撮影条件を、見本画像の選択操作と設定操作により所望の撮影条件に設定し、
前記所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させることを特徴とする表示方法。
【請求項６】
撮影待機状態で被写体の画像を表示手段にスルー画像として表示しながら、撮影操作に応答し前記画像を記録する撮影動作を行うカメラ装置が有するコンピュータを、
所定の撮影モードでの前記撮影動作時における装置の撮影条件を、見本画像の選択操作と設定操作により所望の撮影条件に設定する設定手段と、
前記所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させる表示制御手段
として機能させるためのプログラム。
【手続補正２】
【補正対象書類名】明細書
【補正対象項目名】０００７
【補正方法】変更
【補正の内容】
【０００７】
前記課題を解決するために請求項１の発明にあっては、撮影待機状態で被写体の画像を表示手段にスルー画像として表示しながら、撮影操作に応答し前記画像を記録する撮影動作を行うカメラ装置において、所定の撮影モードでの前記撮影動作時における装置の撮影条件を、見本画像の選択操作と設定操作により所望の撮影条件に設定する設定手段と、前記所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させる表示制御手段を備えたものとした。
【手続補正３】
【補正対象書類名】明細書
【補正対象項目名】０００８
【補正方法】変更
【補正の内容】
【０００８】
かかる構成においては、所定の撮影モードでの撮影待機中に、その時点で選択されている見本画像を、スルー画像と共に表示されるシーン情報を介して使用者に知らせることができる。また撮影条件が設定された際に、一定時間内は見本画像を表示するため、ユーザーにあっては、その間に自分が選択した撮影シーンを見本画像によって再確認させることができる。
【手続補正４】
【補正対象書類名】明細書
【補正対象項目名】０００９
【補正方法】変更
【補正の内容】
【０００９】
また、請求項２の発明にあっては、前記撮影モードにおける撮影待機状態で、所定の変更操作に応答し、前記表示手段に前記スルー画像と共に表示する見本画像を変化させることにより使用者に撮影条件の再選択を行わせ、装置の撮影条件を、選択された見本画像に応じた撮影条件に変更する変更手段を備えたものとした。
【手続補正５】
【補正対象書類名】明細書
【補正対象項目名】００１０
【補正方法】変更
【補正の内容】
【００１０】
かかる構成においては、所定の撮影モードでの撮影待機中であっても、前記スルー画像と共に表示手段に表示される見本画像を介して、使用者に撮影条件の再選択を行わせることができる。
【手続補正６】
【補正対象書類名】明細書
【補正対象項目名】００１１
【補正方法】変更
【補正の内容】
【００１１】
また、請求項３の発明にあっては、前記表示制御手段は、前記所定の変更操作に伴い、選択可能な複数の見本画像を示す複数の見本画像をスルー画像と共に表示手段に表示させるものとした。
【手続補正７】
【補正対象書類名】明細書
【補正対象項目名】００１２
【補正方法】変更
【補正の内容】
【００１２】
かかる構成においては、使用者が見本画像の再選択を行う際に、所望する撮見本画像の選択が容易となる。
【手続補正８】
【補正対象書類名】明細書
【補正対象項目名】００１３
【補正方法】変更
【補正の内容】
【００１３】
また、請求項４の発明にあっては、前記表示制御手段は、前記所定の撮影モードでの撮影待機状態で、見本画像の選択操作のために見本画像を前記スルー画像と共に前記表示手段に表示させる際に、同時にシーン説明またはアドバイス情報を表示させるものとした。
【手続補正９】
【補正対象書類名】明細書
【補正対象項目名】００１４
【補正方法】変更
【補正の内容】
【００１４】
かかる構成においては、使用者に対して撮影シーンを明示することができる。
【手続補正１０】
【補正対象書類名】明細書
【補正対象項目名】００１５
【補正方法】変更
【補正の内容】
【００１５】
また、請求項５の発明にあっては、撮影待機状態で被写体の画像を表示手段にスルー画像として表示しながら、撮影操作に応答し前記画像を記録する撮影動作を行うカメラ装置において、所定の撮影モードでの前記撮影動作時における装置の撮影条件を、見本画像の選択操作と設定操作により所望の撮影条件に設定し、前記所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させる表示方法とした。
【手続補正１１】
【補正対象書類名】明細書
【補正対象項目名】００１６
【補正方法】変更
【補正の内容】
【００１６】
かかる方法においては、所定の撮影モードでの撮影待機中に、その時点で選択されている見本画像を、スルー画像と共に表示されるシーン情報を介して使用者に知らせることができる。また撮影条件が設定された際に、一定時間内は見本画像を表示するため、ユーザーにあっては、その間に自分が選択した撮影シーンを見本画像によって再確認させることができる。
【手続補正１２】
【補正対象書類名】明細書
【補正対象項目名】００１７
【補正方法】変更
【補正の内容】
【００１７】
また、請求項６の発明にあっては、撮影待機状態で被写体の画像を表示手段にスルー画像として表示しながら、撮影操作に応答し前記画像を記録する撮影動作を行うカメラ装置が有するコンピュータを、所定の撮影モードでの前記撮影動作時における装置の撮影条件を、見本画像の選択操作と設定操作により所望の撮影条件に設定する設定手段と、前記所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させる表示制御手段として機能させるためのプログラムとした。
【手続補正１３】
【補正対象書類名】明細書
【補正対象項目名】００１８
【補正方法】変更
【補正の内容】
【００１８】
以上説明したように請求項１及び請求項５の発明においては、所定の撮影モードでの撮影待機状態で、見本画像の選択操作のために見本画像を前記スルー画像と共に前記表示手段に表示させるとともに、前記設定手段により撮影条件が設定された際に該設定された撮影条件に対応する見本画像を一定時間だけ前記スルー画像と共に前記表示手段に表示させるようにした。よって、見本画像を選択する撮影モードによる撮影操作時の使い勝手を向上させることが可能となる。
【手続補正１４】
【補正対象書類名】明細書
【補正対象項目名】００１９
【補正方法】変更
【補正の内容】
【００１９】
また、請求項２の発明においては、所定の撮影モードでの撮影待機中であっても、前記スルー画像と共に表示手段に表示される見本画像を介して、使用者に見本画像の再選択を行わせることができるようにした。よって、撮影者等が撮影条件を変更する場合においても、被写体を確認しながらそれを行うことを可能とすることによって、撮影操作時の使い勝手を向上させることが可能となる。
【手続補正１５】
【補正対象書類名】明細書
【補正対象項目名】００２０
【補正方法】変更
【補正の内容】
【００２０】
また、請求項３の発明においては、使用者が見本画像の再選択を行う際に、所望する見本画像の選択が容易となるようにした。よって、撮影操作時の使い勝手をさらに向上させることが可能となる。
【手続補正１６】
【補正対象書類名】明細書
【補正対象項目名】００２１
【補正方法】変更
【補正の内容】
【００２１】
また、請求項４の発明においては、見本画像の選択操作のために見本画像をスルー画像と共に表示手段に表示させる際に、同時にシーン説明またはアドバイス情報を表示させるようにした。よって、撮影操作時の使い勝手をより一層向上させることが可能となる。